(57)【要約】【課題】  本発明は、机と書棚を組み合わせて使用する組み合わせデスクに係り、詳しくは、使い勝手に応じてデスクと書棚を様々な体系に組み合わせ方を可能とする組み合せデスク装置に関するものであり、簡単な構成で、かつ容易な作業で、使い勝手に応じてデスクと書棚を様々な体系に組み合わせが可能な組合せデスク装置を提供することを課題とするものである。【解決手段】  机と、書棚とで構成された組み合わせデスクにおいて、書棚を、左右に並ぶ大収納部と小収納部で形成し、小収納部を、平面視で略正方形を成し、該略正方形を成す４辺のうち１辺側を収納部の出し入れ口とする開口部とし、小収納部を、垂直回転軸を中心として回転可能とし、該垂直回転軸位置を、書棚の小収納部側の外側方向に一時的に移動可能とし、使用状態において、小収納部と大収納部とを隣接させる。【選択図】図１４
2018183488.tif 000002
【特許請求の範囲】
【請求項１】
少なくとも一対の脚体の上部に天板を設けて構成される机と、机の間口寸法と略等しい間口寸法に設定された書棚とで構成された組み合わせデスクにおいて、書棚は、天板と底板と、天板と底板間で、間口方向で左右に並ぶ大収納部と小収納部を有し、大収納部は、平面視で、間口方向に長尺な長方形を成すとともに長方形の長辺のうち少なくとも一辺側が収納部の出し入れ口とする開口部とされ、小収納部は、平面視で略正方形を成し、該略正方形を成す４辺のうち少なくとも１辺側が収納部の出し入れ口とする開口部とされるとともに、小収納部は、前記天板と底板間で垂直回転軸を中心として回転可能とされるものであって、該垂直回転軸位置は、書棚の小収納部側の外側方向に一時的に移動可能とされ、垂直回転軸が一時的に移動した位置で小収納部は回転できるとともに、該小収納部の開口部は、開口部が書棚の正面を向く第１の体系と、開口部が書棚の外側面を向く第２の体系と、開口部が書棚の背面を向く第３の体系で選択可能とされ、かつ、該各体系での使用状態において、小収納部と大収納部とが隣接することを特徴とする組み合わせデスク。
【請求項２】
小収納部の垂直回転軸位置は、小収納部の使用状態から、書棚の小収納部側の斜め前方外側に一時的に移動可能とされることを特徴とする請求項１に記載の組み合わせデスク。
【請求項３】
小収納部の垂直回転軸位置は、小収納部の使用状態から、書棚の小収納部側の斜め後方外側に一時的に移動可能とされる請求項２に記載の組み合わせデスク。
【発明の詳細な説明】
【技術分野】
【０００１】
本発明は、机と書棚を組み合わせて使用する組み合わせデスクに係り、詳しくは、使い勝手に応じてデスクと書棚を様々な体系に組み合わせ可能とする組み合せデスク装置に関するものである。
【背景技術】
【０００２】
家庭等の勉強部屋や書斎等の執務空間で使用される机において、学習効率の向上や、使い勝手の向上を目的として、学習に使用する書籍、参考書、教科書等を整理収納しておく書棚が、机に近接して置かれる場合がある。そのため、机と書棚を独立させ、机の後方に書棚を配置する体系や、机の側方に書棚を配置し、L字状に配置した体系に机と書棚を組み合わせる組み合わせデスクが従前よりある。
このように、書棚をデスクの側面に書棚の長手方向がデスクと直行するようにL字状に配置した体系では、書棚の取り出し開口がデスクの使用時に配置されるイスの方向を向いているので、イスが邪魔になり書棚が使用しにくいことがある。また、書棚の出し入れ口方向が一定のため、室内での組み合わせデスクの配置方法が限定されることがある。そのため、書棚の出し入れ口方向を変更可能に構成されたものがある。
【０００３】
例えば特許文献１には、収納棚の側部に、側板と幕板をＬ字状に配設し、天板と底板を設け、隣り合う２面が開口する開口面を設け、前記天板と底板との間で、回転棚部を本体部に対して回転可能に設けた収納棚が記載されている。  一方、特許文献２には、本体に回転可能に設けた回転棚部を、垂直回転軸を中心として回転可能に備えるとともに、一対の側枠と側板の上端に設けた天板と、側板の下端に設けた底板で直方体状に形成し、この回転棚部の一対の側枠間の開口部から、側枠間に被収納物を収納できるようにした収納棚が記載されている。そして、特許文献２の明細書（５）の５行目より、回転棚部を本体部の前面の開口面側、又は、他方（背面）の開口面側に位置した状態での使用可能なことが記載され、また、特許文献２の明細書（６）の２行目より、回転棚部をそれぞれの開口側面で回転棚部を保持する回転止めを設けることが記載されている。  
【０００４】
そして、特許文献１の前記収納棚の構成と、特許文献２の前記収納棚の構成の組み合わせによって構成された収納棚が特許文献３によって開示されている。  
【０００５】
しかしながら、特許文献１や特許文献２のような回転棚の場合、固定棚型に比べ、回転棚の回転スペースが必要となるため収納容量が少なくなる。例えば、方形の回転棚とした場合、方形の角部が描く回転軌跡分、回転棚と収納本体の側板、背板間に空間を設ける必要がある。円形の回転棚とした場合、該空間は必要ないが、棚自体の収納スペースが方形に比べ減少する。このように特許文献１や特許文献２のような回転棚の場合、限られたスペースに設置される組み合わせデスクにおいて収納棚としての使い勝手が悪くなるといった問題がある。  また、特許文献３のように回転棚の場合、回転棚の回転時に、毎回、収納物を取り出してから棚板を取り外す必要があり、回転作業が煩わしく使い勝手が悪いといった問題がある。
【先行技術文献】
【特許文献】
【０００６】
【特許文献１】実開平０６−０３３５２９公報
【特許文献２】実開昭６２−１８２６３９公報
【特許文献３】実用新案登録第３２０５７４５号公報
【発明の概要】
【発明が解決しようとする課題】
【０００７】
本願発明は、このような問題に鑑み、簡単な構成で、かつ容易な作業で、使い勝手に応じてデスクと書棚を様々な体系に組み合わせ方が可能とする組合せデスク装置を提供することを課題とするものである。
【課題を解決するための手段】
【０００８】
そこで、上記課題を解決する為、本発明が第１の手段として構成したところは、少なくとも一対の脚体の上部に天板を設けて構成される机と、机の間口寸法と略等しい間口寸法に設定された書棚とで構成された組み合わせデスクにおいて、書棚は、天板と底板と、天板と底板間で、間口方向で左右に並ぶ大収納部と小収納部を有し、大収納部は、平面視で、間口方向に長尺な長方形を成すとともに長方形の長辺のうち少なくとも一辺側が収納部の出し入れ口とする開口部とされ、小収納部は、平面視で略正方形を成し、該略正方形を成す４辺のうち少なくとも１辺側が収納部の出し入れ口とする開口部とされるとともに、小収納部は、前記天板と底板間で垂直回転軸を中心として回転可能とされるものであって、該垂直回転軸位置は、書棚の小収納部側の外側方向に一時的に移動可能とされ、垂直回転軸が一時的に移動した位置で小収納部は回転できるとともに、該小収納部の開口部は、開口部が書棚の正面を向く第１の体系と、開口部が書棚の外側面を向く第２の体系と、開口部が書棚の背面を向く第３の体系で選択可能とされ、かつ、該各体系での使用状態において、小収納部と大収納部とが隣接するものである。
【０００９】
次に上記課題を解決する為、本発明が第２の手段として構成したところは、第１の手段とした構成に加え、小収納部の垂直回転軸位置は、小収納部の使用状態から、書棚の小収納部側の斜め前方外側に一時的に移動可能とされるものである。
【００１０】
次に上記課題を解決する為、本発明が第３の手段として構成したところは、第２の手段とした構成に加え、小収納部の垂直回転軸位置は、小収納部の使用状態から、書棚の小収納部側の斜め後方外側に一時的に移動可能とされるものである。
【発明の効果】
【００１１】
第１の手段として構成したところによると、回転可能とされた小収納部は、回転時に使用状態から外側に移動した位置で回転可能であるから、小収納部を直方体状として、かつ、使用状態で小収納部と大収納部を隣接配置した場合であっても、小収納部の回転動作時に、小収納部の直方体状の角部が大収納部に接触することがない。そのため、書棚の間口寸法に対する収納スペースを大きくすることができる。また、回転時に棚板を取り外す必要がないので、回転作業が容易である。
そして、小収納部の開口部を、書棚の正面を向く第１の体系と、開口部が外側面を向く第２の体系と、開口部が背面を向く第３の体系で選択可能であるため、机と書棚の組合せパターンを多彩にすることができ、組み合わせデスクを設置する部屋のレイアウトに合わせて、使い勝手のよい机と書棚の組み合わせが可能である。
【００１２】
第２の手段として構成したところによると、第１の手段の効果に加え、小収納部の垂直回転軸位置の書棚の小収納部側の外側方向に一時的に移動する方向が小収納部の使用状態から、斜め前方外側とされるので、小収納部の回転操作時には、小収納部が使用状態より斜め前方外側に飛び出させることが可能である。そのため、書棚を書棚の背面側が壁などに沿って設置している場合であっても、書棚全体を移動させることなく小収納部の回転させることが可能である。
【００１３】
第３の手段として構成したところによると、第２の手段の効果に加え、小収納部の垂直回転軸位置の書棚の小収納部側の外側方向に一時的に移動する方向を小収納部の使用状態から、斜め後方外側とされるので、小収納部の回転操作時には、小収納部が使用状態より斜め後方外側に飛び出させることが可能である。そのため、書棚の前面側に机を設置している場合であっても、書棚全体を移動させることなく小収納部の回転させることが可能である。
また、小収納部側は使用状態より斜め前方外側と後方外側の両方に飛び出させることができるから、書棚の大収納部を形成する背板を前面側に移動させて、書棚を、垂直方向を回転軸として１８０度回転させると、書棚３の左右の勝手方向を反転させることができ、該反転状態でも前記の効果を得ることができる。そのため、書棚は右用、左用をそれぞれ設定する必要がない。
【図面の簡単な説明】
【００１４】
【図１】机の右側面図
【図２】机の正面図
【図３】机の底面図
【図４】図２のＡ−Ａ線断面図
【図５】組み合わせデスクの右側面図
【図６】組み合わせデスクの正面図
【図７】書棚の正面図
【図８】書棚の背面図
【図９】図７のＢ−Ｂ線断面図
【図１０】大収納部の正面図
【図１１】小収納部の斜視図
【図１２】書棚天板の底面図
【図１３】ベース体の平面図
【図１４】図９から小収納部を斜め前方に移動した状態の断面図
【図１５】図９から小収納部を斜め後方に移動した状態の断面図
【図１６】書棚天板と中側板との連結部を示す拡大縦断面図
【図１７】拡張天板を使用した状態の組み合わせデスクの右側面図。
【図１８】机の後方に書棚を配置した体系を示す平面図。
【図１９】机の右側方に書棚を配置した体系を示す平面図。
【図２０】机の右側方に書棚を配置した他の体系を示す平面図。
【図２１】机の左側方に書棚を配置した体系を示す平面図。
【図２２】机の左側方に書棚を配置した他の体系を示す平面図。
【発明を実施するための形態】
【００１５】
一対の脚体の上部に天板を設けて構成される机と、机の間口寸法と略等しい間口寸法に設定された書棚とで構成された組み合わせデスクにおいて、書棚を、天板と底板と、天板と底板間で間口方向の左右に並ぶ大収納部と小収納部で形成し、大収納部を、平面視で、間口方向に長尺な長方形を成すとともに長方形の長辺のうち一辺側を収納部の出し入れ口とする開口部とし、小収納部を、平面視で略正方形を成し、該略正方形を成す４辺のうち１辺側を収納部の出し入れ口とする開口部とし、小収納部を、前記天板と底板間で垂直回転軸を中心として回転可能とし、該垂直回転軸位置を、書棚の小収納部側の外側方向に一時的に移動可能、かつ、移動する方向を小収納部の使用状態から、斜め前方外側、あるいは斜め後方外側とするとともに垂直回転軸を一時的に移動した位置で小収納部を回転可能とし、前記小収納部の開口部を、開口部が書棚の正面を向く第１の体系と、開口部が書棚の外側面を向く第２の体系と、開口部が書棚の背面を向く第３の体系で選択可能し、かつ、該各体系での使用状態において、小収納部と大収納部とを隣接させる。
【実施例１】
【００１６】
第１実施例を、添付図面に基づいて詳述する。
図１、図２において、符号１は机を示し、机１は天板本体部１０と、天板本体部１０の左右端部側に連結ネジにて連結された左右脚体２、２より構成されている。
符号２０は左右脚体２、２を連結する脚体補強材を示し、符号２００は、取り付け部材を介して、天板本体部１０の後端に連接される拡張天板であって、天板を拡張しない場合には脚体補強材２０の前面にネジ止め固定されている。
図５、図６において、符号３は、机１と連結可能な書棚を示している。
【００１７】
天板本体部１０は、図３に示すように、主に左右方向に長い長方形板状の天板１１と、天板１１下面に左右方向に延伸する前後一対のガイドレール１２、１２に左右移動可能に吊り下げられる引き出しユニット１３で構成されている。
【００１８】
ガイドレール１２は、前後一対で同形状のものが対称に配設されているので前側のガイドレール１２のみを詳述する。
ガイドレール１２は、図２、図４に示すように、図正面視において、左右脚体２、２間の長さに形成され、側面視で、天板１１の下面から下方に延出したレール基部１２ａ、レール基部１２ａから前方に延出した受け部１２ｂで形成され、レール基部１２ａは前面が垂直で、後面が上面から前側下方に向かって傾斜面１２ｃを形成し、下面が水平となる形態であって、レール基部１２ａの前面下部より方形の受け部１２ｂが形成されている。
【００１９】
引き出しユニット１３は、図３、図４に示すように、天板１１の下面で、天板１１の先端から、脚体補強材２０の前面間のほぼ全幅にわたって形成され、所定の間隔で配設された引出左右側板１３１、１３１と、引出左右側板１３１、１３１下面に、引出左右側板１３１、１３１間の左右方向にわたって、前後一対に配設される引出側板補強桟１３２、１３２と、引出左右側板１３１、１３１上面のそれぞれに、前後一対に取り付けられるスライド部材１３３、１３３、１３３、１３３と、引出左右側板１３１、１３１の対向する面に取り付けられる引き出し支持用部材１３４、１３４（レール部材等）を介して前後方向で出入自在とされる引き出し１３５で構成されている。
【００２０】
スライド部材１３３は、前後一対で同形状のものが対称に配設されているので前側のスライド部材１３３のみを詳述する。
スライド部材１３３は、正面視において、引出左右側板１３１の巾寸法と略同じ巾に形成され、図４に示すように、側面視で、引出左右側板１３１の上面から上方に立ち上がる長方形の基部１３３ａと、基部１３３ａの上部後面から後方に向かって延出する係り部１３３ｂと、基部１３３ａの上面と係り部１３３ｂの上面を繋ぐように上方に円弧状に膨出した滑動部１３３ｃで形成されている。すなわち、上下逆向きのＬ字状に形成されている。
【００２１】
このように構成された天板本体部１０の側面より、引き出しユニット１３を、ガイドレール１２の受け部１２ｂの上面に、スライド部材１３３の係り部１３３ｂの下面が載置するように、引き出しユニット１３を左右方向に移動させながらスライド部材１３３とガイドレール１２を係合させる。あるいは、天板本体部１０に引き出しユニット１３を所定の位置に配置したのち、あらかじめ取り外しておいたガイドレール１２を、ガイドレール１２の受け部１２ｂの上面に、スライド部材１３３の係り部１３３ｂの下面が載置するように、天板１１下面にネジ止めし、スライド部材１３３とガイドレール１２を係合させる。
【００２２】
このように天板本体部１０に係合した引き出しユニット１３は、ガイドレール１２の長さの範囲で左右方向にスライド移動が可能となる。
尚、スライド部材１３３の滑動部１３３ｃは、引き出しユニット１３が上方に移動することによって発生するガタツキを抑えるため、膨出形態の上端部を天板１１の下面に接触させている。また、滑動部１３３ｃは、膨出形態の上端部を天板１１の下面に接触させているので、天板１１とは略線接触となり、過度な抵抗が生まれず、引き出しユニット１３の左右移動時に過度に重くなることや、引っかかりが生まれ左右移動がし難いといった問題を解消できる。
【００２３】
左右脚体２、２は対向した対称形に形成されているので、一方側のみ説明する。
右側脚体２は、前後に離間して配置する角柱状の前支持脚２１、後支持脚２２と、前支持脚２１、後支持脚２２の上部で、前支持脚２１と後支持脚２２を連結する上部補強材２２１が一体的に形成され、側面視で下向きコ字状に構成されている。
そして、左右脚体２、２は、天板１１の下面とネジ止め固定される。
【００２４】
書棚３は、図７、図９に示すように、大収納部３００と小収納部４００で構成され、該書棚３の上面が、机の天板１１の上面と同じ高さとなるように設定され、小収納部４００は、垂直軸を中心に回転できるように形成されている。
大収納部３００は、平面視において、机の天板１１と略同じ横幅で、奥行きは、机の天板１１の奥行き寸法の約半分程度に設定された横長長方形のベース体３１と、ベース体３１の小収納部３００側と対向側の側端部の上面に立設する側板３２と、該側端部の対向端部より小収納部３００が収まる寸法分内側寄りの上面に立設する中側板３３と、側板３２、中側板３３の上端面に載置、着脱自在に連結される平面視においてベース体３１と略同形に形成される板状の書棚天板３０と、側板３２、３３間に着脱自在に架設される上下背板３５、３５、中間背板３６、同じく側板３２、３３間に着脱自在に架設される大棚板３８で構成されている。
そして、大収納部３００は平面視で横長長方形になるように形成され、長辺の一面側、すなわち、背板の対向面側が開放された開口部３００ａとされ、収納部の物品の出し入れ口とされる。
【００２５】
このように構成される大収納部３００には、図１０に示すように、中側板３３から、側方に向かってベース体３１と書棚天板３０が突き出しており、ベース体３１と書棚天板３０と中側板３３で一側面と前後面が開放された空間３０１が形成される。
【００２６】
空間３０１は、平面視で略正方形に形成されており、空間３０１に位置する書棚天板突部３０ａと、同じく空間３０１に位置するベース体突部３１ａも平面視で略正方形を形成している。
そして、空間３０１に位置する書棚天板突部３０ａの下面とベース体突部３１ａの上面にガイド溝３０１ａが設けられている。
書棚天板突部３０ａのガイド溝３０１ａは、図１２で示すように棚天板突部３０ａの中心を基点とし、書棚３の長尺方向と平行な線を基準線として、基準線から斜め後方で空間３０１の開放された側面側に向かって延伸している。
そして、同じく平面視で略正方形の書棚天板突部３０ａの中心を基点とし、書棚３の長尺方向と平行な線を基準線として、基準線から斜め前方で空間３０１の開放された側面側に向かって延伸している。したがって、ガイド溝３０１ａは基点を同じとした、前方側のガイド溝と後方側のガイド溝によってＶ字状に形成されている。
ガイド溝の幅と深さは、後述する書棚３に設けられた回転軸４５が入る程度に設定されている。
尚、実施例におけるガイド溝３０１ａは、基準線から４５度の角度で、それぞれ斜め前方と後方で空間３０１の開放された側面に向かって延伸しており、２本のガイド溝の間の角度は９０度で設定される。図１３で示すようにベース体突部３１ａの上面のガイド溝３０１ａも、書棚天板突部３０ａのガイド溝３０１ａと対向して同じ形態なものである。
【００２７】
小収納部４００は、図１１に示すように左右対称の一対に立設する小側板４０、４０と、小側板４０の後端部の小側板４０、４０間に架設される背面板４１と、小側板４０の下端部の小側板４０、４０間に水平に架設される小底板４２と、小側板４０の上端部の小側板４０、４０間に水平に架設される小天板４３と、同じく小側板４０、４０間の中間高さで着脱自在に架設される棚板４４で構成されている。
そして、小天板４３には、小天板４３の中心部から上方に向かって回転軸４５が立設しており、小天板４３の上面の回転軸４５の周囲に滑り板４６が貼り付けられている。
また、小底板４２の下面にも、小底板４２の中心部から下方に向かって回転軸４５が立設しており、小底板４２の下面の回転軸４５の周囲に滑り板４６が貼り付けられている。そして、小収納部４００は平面視で略正方形になるように形成され、四辺の一面側、すなわち、背面板４１の対向面側が開放された開口部４００ａとされ収納部の出し入れ口とされる。
【００２８】
このように形成された大収納部３００と小収納部４００を組み合わせて書棚３は形成されるので、大収納部３００と小収納部４００を組み合わせ方法について詳述する。
大収納部３００の書棚天板３０は、公知技術である（例えば特許第５３３６１２９号に記載されているノックダウン金具５）連結金具５０（後述する）よって、側板３２、中側板３３の上面に取り付けられているから、連結金具５０の締結を解き、書棚天板３０を取り外す。
【００２９】
次に、ベース体突部３１ａの上面のガイド溝３０１ａに、小収納部４００の小底板４２側の回転軸４５を差込み、小収納部４００を垂直に立てた後、書棚天板３０を、書棚天板突部３０ａのガイド溝３０１ａに小収納部４００の小天板４３の回転軸４５を差込みながら、側板３２、中側板３３の上面に取り付ける。
そして、小収納部４００の開放面側を正面に向け、ガイド溝３０１ａに沿って、小収納部４００をスライド移動させ、小側板４０の側面と中側板３３の側面が沿う状態とする（図７の状態）。
小側板４０と中側板３３をネジにて固定し、書棚３の組み立ては完了する。
尚、中側板３３の外面側には、あらかじめ螺合孔が設けられ、小側板４０には該螺合孔に対応した貫通穴が設けられている。ネジは、小収納部４００の内面側より該貫通穴を貫通して中側板３３の螺合孔に取り付けられる。
【００３０】
小収納部４００を回転させる方法は、まず前述のネジを取り外し、小収納部４００を、ガイド溝３０１ａに沿って斜め前方外側にスライド移動させる。この状態で小収納部４００の回転軸４５が、ガイド溝３０１ａに沿って斜め前方外側に移動しているので、小収納部４００の回転の中心が前方外側に移動していることとなる。
そして、この状態で、小収納部４００を９０度回転させ、開口部４００ａが外側を向いた状態で、ガイド溝３０１ａに沿って、小収納部４００をスライド移動させ、小側板４０の背面板４１と中側板３３の側面が沿う状態とする。前述の中側板３３の外面側の螺合孔に合わせて、あらかじめ貫通穴が設けられた背面板４１の貫通穴を利用し、背面板４１と中側板３３をネジにて固定し、小収納部４００の回転作業は完了する。
同じ作業要領で、小収納部４００をさらに９０度回転させると、小収納部４００の開口部４００ａを書棚３の背面側に向けることができる。
【００３１】
小収納部４００は、平面視で略正方形を成すから、小収納部４００の回転時には、平面視で、略正方形の対角線を直径とした回転軌跡を描くこととなる（図１４、１５に一点鎖線で示す）。
したがって、ガイド溝３０１ａに沿って回転中心軸を外側前方に移動させることにより、小収納部４００の回転時の回転軌跡が、大収納部３００の中側板３３と干渉しない（図１４）。そのため、小収納部４００は、小収納部４００が内包する大収納部３００の空間３０１に対して、略同じ容量とすることが可能となり、大きな収納量を確保できる。
また、回転中心軸を外側前方に移動させることにより、書棚３の背面に壁があったとしても、小収納部４００の回転時の回転軌跡が壁と干渉しないので、書棚３を移動させることなく、小収納部４００の開放側の向きを変えることが容易にできる。
【００３２】
そして、大収納部３００のガイド溝３０１ａには後方側のガイド溝が設けられているから、小収納部４００は、外側後方に移動させて（図１５）から回転させることもできる。この後方側のガイド溝によって、書棚３全体を垂直軸中心に１８０度回転させて、大収納部３００と小収納部４００の左右の並びを変えることができる。１８０度回転させて、大収納部３００と小収納部４００の左右の並びを変えた場合、前記の後方側のガイド溝は、必然的に前方側のガイド溝に変化するので、前述のとおり小収納部４００を回転させることができる。
【００３３】
ただし、この場合、大収納部３００の上下背板３５、３５、中間背板３６は、背面側から前面側となるから、上下背板３５、３５、中間背板３６を一旦外し、前面側から背面側に移設する。そのため、上下背板３５、３５、中間背板３６は、書棚天板３０と同じく公知技術である連結金具５０で着脱自在に連結されている。
【００３４】
このように、ガイド溝３０１ａは、前方側のガイド溝と後方側のガイド溝の両方備えており、かつ、基点も同じであるから、小収納部４００は前方側でも後方側でもスライド移動可能となり、大収納部４００の背板も前面側と背面側で移設可能であるから、書棚３を右用、左用で兼用できるので、部屋のレイアウトに合わせることができるので使い勝手が良い。また、ガイド溝３０１ａは基点を同じとした、前方側のガイド溝と後方側のガイド溝によってＶ字状に限定されるものではなく、例えば基点から側方に横移動する溝を設け、該溝端を基点として前方側のガイド溝と後方側のガイド溝をＶ字状に設けた形状のＹ字状にする方法でもよく、したがって、小収納部４００の回転軸が、斜め前方側と斜め後方側に移動できる形状であればよい。
【００３５】
そして、小収納部４００の下面には、フッ素樹脂製などの滑りが良い滑り板４６が貼り付けられているので、小収納部４００に物品を入れて重量が増した状態あっても、小収納部４００のスライド移動や回転が行える。
また、小収納部４００の上面にも同じく滑り板４６が貼り付けられているので、書棚天板３０上に荷重がかかった状態であっても小収納部４００のスライド移動や回転が行える。
滑り板４６は、フッ素樹脂製などの滑りの良い材質のものを貼り付けるだけであるから安価である。
尚、大収納部３００の中側板３３は、小収納部の近傍に設置した方が、書棚天板突部３０ａの左右方向の長さが短くなるので、書棚天板突部３０ａが撓みにくくなるので、小収納部４００のスライド移動や回転が行いやすくなり都合がよい。
【００３６】
連結金具５０について、図１６に基づき詳述する。
連結金具５０は、連結ピン５０２と、円柱状の締結金具５０１とからなるもので、連結ピン５０２の一端部が雄ねじ部５０３とされ、他端部には小径軸部５０４、小径軸部５０４の先端には大径頭部５０５が一体的に形成されている。締結金具５０１は、前記大径頭部５０５が係合する係合溝孔５０６と、小径軸部５０４が摺動可能に嵌合される溝幅の小さな円弧状のガイド溝５０７とが、互いに連通するようにして円周方向に向かって形成され、平面部には、ドライバーなどで締結金具５０１を回転させる回転溝５０８が形成されている。
このような連結金具は公知技術であるのは前述のとおりである。
【００３７】
例えば、書棚天板３０と中側板３３を連結するには、書棚天板３０の下面に設けられた螺孔６０に、連結ピン５０２の雄ねじ部５０３を螺合させて取り付ける。
そして、該連結ピン５０２の大径頭部５０５側を中側板３３の上面の連結孔３３１に差込む。このとき、連結ピン５０２の小径軸部５０４と大径頭部５０５を、連結金具５０のガイド溝５０７と係合溝孔５０６とに嵌合する。
そして、連結金具５０を、回転溝５０８を使い工具などで回動させると連結ピン５０２と連結金具５０とが互いに係合して、書棚天板３０と中側板３３とが不動に連結される。
当然ながら、連結金具５０を、反対方向に回動させると連結ピン５０２は係合状態を解除され、書棚天板３０と中側板３３は分割される。
【００３８】
本発明は上記の如く構成され、机１と書棚３は、机１の天板１１の下面と書棚３の書棚天板３０の下面間に金属製平板の連結金物を掛け渡し、金物を天板１１の下面と書棚天板３０の下面それぞれでネジ止め固定し、机１と書棚３を連結して使用することができる。
【００３９】
本発明品での机１と書棚３の組み合わせ方法は、図１８〜図２２に示すように多彩な配置が可能である。図１８〜図２２における矢印は、小収納部４００の開口部４００ａ、大収納部の開口部３００ａの向きを示しており、図１８は、机１の後方に書棚３を配置した体系を示しており、基本的に机１と書棚３は連結金物で連結されている。図１９は、机１の右側方に書棚３を配置した体系を示しており、開口部３００ａが内側を向く体系である。図２０は、同じく机１の右側方に書棚３を配置した体系を示しており、開口部３００ａが外側を向く体系である。
机１の左側方に書棚３を配置した体系は、図１９、図２０の体系の対称形となり、図２１、図２２に示すようになる。
【００４０】
机１の側方部に書棚３を配置する場合に、通常は、机１の脚体２を取り外さずに書棚３を配置するが、書棚側の机の脚体２を外して、机１にかかる荷重を書棚３で受けることによって、書棚３の収納部の正面側の障害物を省き、書棚の使い勝手を向上させることができる。取り外した脚体２は、脚体補強材２０の背面に、脚体補強材２０と重ねた状態でネジ止め固定される。
【００４１】
机１の一側方部に書棚３を配置し、前述の左右方向に移動可能にされた引き出しユニット１３を他側方部側にスライド移動させると、書棚３の収納部の物品の出し入れ時に引き出しユニット１３が邪魔にならず、書棚３の収納部がより見えやすくなるので、書棚３の収納部の使い勝手がさらに向上する。
【００４２】
このように、収納部の開口部の向きを変更することにより一種類の書棚で様々な机との組み合わせが可能なので、組み合わせデスクを配置する部屋のレイアウトに合わせて使い勝手のよい組み合わせを提供できる。
【００４３】
図１７は、机１の天板１１の後単に拡張天板２００を連結したものと書棚３を組み合わせたものであり、本発明の机と書棚は、拡張天板の有無に関係なく組み合わせを行うことができる。さらに書棚３の上部に上部書棚３ａを連結載置し、書棚を２段重ねに配置しても、本発明の机と書棚は、前述のように組み合わせを行うことができる。
尚、小収納部、大収納部の開口部は収納部の出し入れ口であるから、開口部には開閉自在の扉を設けてもよい。
【産業上の利用可能性】
【００４４】
以上のように、本発明は、書棚に大収納部と小収納部を設け、それぞれの収納部の開口方向を変更できるので、机と書棚の組合せパターンを多彩にすることができ、組み合わせデスクを設置する部屋のレイアウトに合わせて、使い勝手のよい机と書棚の組み合わせが可能であるから、家庭等の勉強部屋や書斎等の執務空間で広く利用することができる。
【符号の説明】
【００４５】
１                机
１０              天板本体部
１１              天板
１３              引き出しユニット
２                左右脚体  
３                書棚
３０              書棚天板
３１              ベース体
３２              側板
３３              中側板
３００            大収納部
３０１            空間
３０１ａ          ガイド溝
４００            小収納部
４５              回転軸
【図１】
2018183488.tif 000003
【図２】
2018183488.tif 000004
【図３】
2018183488.tif 000005
【図４】
2018183488.tif 000006
【図５】
2018183488.tif 000007
【図６】
2018183488.tif 000008
【図７】
2018183488.tif 000009
【図８】
2018183488.tif 000010
【図９】
2018183488.tif 000011
【図１０】
2018183488.tif 000012
【図１１】
2018183488.tif 000013
【図１２】
2018183488.tif 000014
【図１３】
2018183488.tif 000015
【図１４】
2018183488.tif 000016
【図１５】
2018183488.tif 000017
【図１６】
2018183488.tif 000018
【図１７】
2018183488.tif 000019
【図１８】
2018183488.tif 000020
【図１９】
2018183488.tif 000021
【図２０】
2018183488.tif 000022
【図２１】
2018183488.tif 000023
【図２２】
2018183488.tif 000024